(57)【要約】【課題】  施工中、施工完了後の建築物を問わず、容易に取り付けることができ、高い密閉性を有する床下換気口の閉塞装置を提供する。【解決手段】  建築物の基礎５の立ち上がり部に設けられた開口部３に形成された床下換気口２を閉塞する床下換気口の閉塞装置１であり、床下換気口２の開口部３を覆う蓋体１１と、床下換気口２の内周面及び／又は床下換気口２に取り付けられた網状物８に固定される支持体１２と、支持体１２に取り付けられ、支持体１２と蓋体１１とを連結する連結部材１３とを備え、蓋体１１は、少なくとも建築物の基礎５の床下換気口周縁部と対向する位置に密閉部材１１ｃが設けられることを特徴とする。【選択図】  図１
2007146493.tif 000002
【特許請求の範囲】
【請求項１】
建築物の基礎の立ち上がり部に設けられた開口部に形成された床下換気口を閉塞する床下換気口の閉塞装置において、
上記床下換気口の開口部を覆う蓋体と、
上記床下換気口の内周面及び／又は上記床下換気口に取り付けられた網状物に固定される支持体と、
上記支持体に取り付けられ、上記支持体と上記蓋体とを連結する連結部材とを備え、
上記蓋体は、少なくとも上記建築物の基礎の床下換気口周縁部と対向する位置に密閉部材が設けられることを
特徴とする床下換気口の閉塞装置。
【請求項２】
上記支持体は、上記床下換気口の相対向する内周面に設けられる突っ張り体からなり、
両端部がそれぞれ先端に向かって縮径されるように形成された縮径部と、
全体長が調整可能な長さ調整部とを有することを
特徴とする請求項１記載の床下通気口の閉塞装置。
【請求項３】
上記支持体は、
棒状部材と、
上記床下換気口の内周面の対向する位置にそれぞれ設けられ、上記棒状部材を保持する保持部材とを有することを
特徴とする請求項１記載の床下換気口の閉塞装置。
【請求項４】
上記支持体は、上記網状物と固定される板状部材からなり、
複数の締結部材が挿通され、該複数の締結部材の間隔を可変とすることができる締結部材支持孔を有することを特徴とする請求項１記載の床下換気口の閉塞装置。
【発明の詳細な説明】
【技術分野】
【０００１】
本発明は、建築物の基礎に形成された床下換気用の換気口を閉塞する床下換気口の閉塞装置に関する。
【背景技術】
【０００２】
従来、家屋等の建築物には、地面から立ち上がった基礎に切欠状の開口部を設け、床下の換気を行うために、床下換気口が形成されている。この床下換気口は、床下に外気の通気が行えるようにしたものであり、家屋内の湿度を調節し、カビの発生や建材の腐食を抑えるために設けられている。この床下換気口には、外気の通気を妨げることなく、小動物や虫などの床下への侵入を防止するために、網状物が張られている。
【０００３】
しかしながら、この床下換気口は、例えば、大雨による洪水が発生した際は、床下へ水や泥が浸入する開口部となっていた。床下に大量の水や泥が浸入すると、床下の湿度が上昇し、建材の腐食の原因となったり、一度浸入した泥を床下から取り除くことは大変な作業を要していた。
【０００４】
そこで、この床下換気口を必要なときに蓋体を換気口に被せたり取り外したりすることができる床下換気口が種々提案されている（例えば、特許文献１参照。）。
【０００５】
ところで、特許文献１に記載された床下換気口は、基礎立ち上がり部に形成された開口部に容易に取り付けられることが記載されている。特許文献１に記載された床下換気口は、換気口本体をモルタル等で開口部に固定するものであり、この換気口本体が開口部に施工された後であれば、蓋体を容易に取り付けることができるが、既に小動物除けの網状物が施工された開口部にあっては、この換気口本体を固定するための十分なスペースを確保するために、この網状物を取り除かなくてはならない。
【０００６】
また、特許文献１に記載された床下換気口は、施工が完了するまでは、蓋体を取り付けることができず、急な天候の変化による洪水が発生した際に対応することができない。
【０００７】
【特許文献１】実用新案登録第３０９９１７９号
【発明の開示】
【発明が解決しようとする課題】
【０００８】
本発明は、上述のような従来の問題点に鑑みてなされたものであり、施工中、施工完了後の建築物を問わず、容易に取り付けることができ、高い密閉性を有する床下換気口の閉塞装置を提供することを目的とする。
【課題を解決するための手段】
【０００９】
上述の問題点を解決するために、本発明に係る床下換気口の閉塞装置は、建築物の基礎の立ち上がり部に設けられた開口部に形成された床下換気口を閉塞する床下換気口の閉塞装置において、上記床下換気口の開口部を覆う蓋体と、上記床下換気口の内周面及び／又は上記床下換気口に取り付けられた網状物に固定される支持体と、上記支持体に取り付けられ、上記支持体と上記蓋体とを連結する連結部材とを備え、上記蓋体は、少なくとも上記建築物の基礎の床下換気口周縁部と対向する位置に密閉部材が設けられることを特徴とする。
【発明の効果】
【００１０】
本発明は、床下換気口の内周面及び／又は網状物に固定される支持体と連結部材により、蓋体を、床下換気口を閉塞するように固定することができる。そのため、床下換気口を閉塞した蓋体は、床下側である床下換気口の内側に向けて力がかかった状態で、固定することができ、密閉性を高めることができる。
【００１１】
また、本発明は、施工中、施工完了後の建築物を問わず、床下換気口の開口部に取り付けることができる。
【発明を実施するための最良の形態】
【００１２】
以下、本発明に係る床下換気口の閉塞装置について図面を参照して詳細に説明する。本発明に係る床下換気口の閉塞装置１は、図１（Ａ）に示すように、床下換気口２の開口部３を閉塞する蓋体１１と、床下換気口２の内周面４に固定される支持体１２と、支持体１２に取り付けられ、支持体１２と蓋体１１とを連結する連結部材１３とから構成されている。床下換気口の閉塞装置１は、図１（Ｂ）に示すように、支持体１２と連結部材１３とによって、蓋体１１で床下換気口２の開口部３を閉塞し、床下への水や泥の浸入を防止する。
【００１３】
床下換気口２は、家屋などの建築物を支持するために設けられる立ち上がり部を有する基礎５に設けられる。建築物の基礎５は、例えば、コンクリートを型枠に流し込んで形成され、図１（Ａ）に示すように、下端部が地中に埋設され、地面から立ち上がった立壁である。床下換気口２は、この基礎５の上面に土台６が固定され、基礎５の上面から切り欠かれた切欠部とこの土台６とによって囲まれた略矩形の開口部３に設けられる。床下換気口２は、この開口部３を通して屋外と床下とが連通される。土台６は、その屋外側の面が基礎５の屋外側の面と同一平面となるような位置に設けられ、その屋外側の面に外壁材７が取り付けられる。また、床下換気口２は、その内周面４に小動物など床下への侵入を防止する網状物８が嵌め込まれている。床下換気口２の内周面４に設けられる網状物８は、金属や樹脂からなり、屋外と床下とを通気させることができ、小動物などの侵入を妨げる大きさの通気孔８ａが格子目状に多数設けられている。なお、開口部３は、上述のように、基礎５と土台６とによって囲まれたものであることに限らず、基礎５の地面からの立ち上がり部にのみ形成される開口部であってもよい。
【００１４】
床下換気口の閉塞装置１は、上述のような床下換気口２の網状物８の屋外側に取り付けられる。
【００１５】
蓋体１１は、図２（Ａ）及び（Ｂ）に示すように、例えば、防錆性を有する金属板からなり、主面１１ａが略矩形状に形成されている。蓋体１１は、その主面１１ａが床下換気口２の開口部３と略同一の形状であり、開口部３を覆うことができるように開口部３よりも大きい。蓋体１１は、主面１１ａ略中央部に後述する連結部材１３が挿通される貫通孔１１ｂと、主面１１ａの床下側の面の周縁で、基礎５と対向する位置に取り付けられている第１の密閉部材１１ｃと、主面１１ａの上端縁が折曲されて形成された折曲部１１ｄと、折曲部１１ｄで外壁材７の下面７ａ（図２（Ｂ）参照）と対向する位置に取り付けられている第２の密閉部材１１ｅとから構成されている。
【００１６】
蓋体１１の貫通孔１１ｂは、略楕円形に形成された長孔であり、連結部材１３の径よりも大きい。これは、連結部材１３を貫通孔１１ｂに挿通させる際の位置合わせを正確に行う必要をなくすためであり、後述する連結部材１３の密閉板１３ａで覆うことにより、この貫通孔１１ｂからの水等の床下への浸入を防止している。
【００１７】
第１の密閉部材１１ｃは、ゴムなどの軟質材料からなり、蓋体１１の主面１１ａの周縁の全周に亘って設けられる。第１の密閉部材１１ｃは、蓋体１１が床下換気口２の開口部３を閉塞し、基礎５との隙間から水等の床下への浸入を防止することができる密閉性を確保できるものであれば、いかなる材料を用いるようにしてもよい。また、第１の密閉部材１１ｃは、上述のように、主面１１ａの周縁の全周に亘って設けられることに限らず、基礎５と蓋体１１との隙間をなくすものであればよく、例えば、主面１１ａ全面に亘って設けるようにしてもよい。
【００１８】
折曲部１１ｄは、図２（Ｂ）に示すように、蓋体１１の主面１１ａの上端縁が折曲されて形成されている。折曲部１１ｄは、外壁材７の下面７ａと密閉するための第２の密閉部材１１ｅが配設されるための台座である。
【００１９】
第２の密閉部材１１ｅは、第１の密閉部材１１ｃと同様の材料からなり、折曲部１１ｄの外壁材７の下面７ａと対向する面に配設される。なお、第２の密閉部材１１ｅは、折曲部１１ｄの外壁材７の下面７ａと対向する面全体に亘って設けられることに限らず、外壁材７と蓋体１１との隙間をなくすものであればよく、例えば、主面１１ａと連結される側の端縁近傍に設けられるものであってもよい。
【００２０】
支持体１２は、図２（Ａ）に示すように、金属などの棒状部材からなり、床下換気口２の内周面に横架される。支持体１２は、棒状部材からなる本体部１２ａと、両端部に縮径部１４、１４と、全体長が調整可能な長さ調整部１５とを有する。支持体１２は、長さ調整部１５により全体長を調整し、床下換気口２の内周面に対して突っ張るようにして固定され、その際、両端の縮径部１４、１４が内周面にくい込む。
【００２１】
支持体１２の本体部１２ａは、棒状部材からなり、その周面に雄ネジ部１２ｂが設けられている。本体部１２ａは、横架される床下換気口２の内周面で相対向する側面２ａ、２ａ（図２（Ａ）参照）の距離よりもやや短い長さに形成されている。
【００２２】
長さ調整部１５は、本体部１２ａが挿通される円環部材１５ａと、全体長を固定する固定ナット１５ｂとから構成される。円環部材１５ａは、内径が本体部１２ａが挿通される大きさの環状部材からなる。固定ナット１５ｂは、本体部１２ａの雄ネジ部１２ｂと螺合され、円環部材１５ａの位置を固定するためのナットである。長さ調整部１５は、固定ナット１５ｂを回動させることにより、本体部１２ａに対する位置を調整することができ、支持体１２の全体長を変えることができる。長さ調整部１５は、支持体１２の全体長が長くなるように固定ナット１５ｂを回動させ、床下換気口２の内周面で相対向する側面２ａ、２ａに突っ張るようにして固定される。長さ調整部１５は、図２（Ａ）に示すように、本体部１２ａの両端部にそれぞれ設けられる。なお、長さ調整部１５は、本体部１２ａの両端部に２箇所設けられることに限らず、本体部１２ａの一方の端部にのみ設けられるようにしてもよい。
【００２３】
縮径部１４は、円環部材１５ａの端部に設けられ、先端に向かって縮径されるように形成される。縮径部１４は、長さ調整部１５により、支持体１２を側面２ａ、２ａに対して突っ張らせて固定する際に、側面２ａ、２ａにくい込みやすいように形成されている。
【００２４】
なお、縮径部１４は、長さ調整部１５の円環部材１５ａの端部に形成されることに限らず、長さ調整部１５が本体部１２ａの一方の端部にのみ形成されているものであれば、他方の端部である本体部１２ａの端部に形成されるようにしてもよい。
【００２５】
連結部材１３は、支持体１２と蓋体１１とを連結する部材であり、支持体１２が挿通される支持体取付部１６と、支持体取付部１６に固定され、蓋体１１の貫通孔１１ｂに挿通されるボルト部１７とから構成され、ナット１３ｂにより蓋体１１を固定している。また、連結部材１３は、蓋体１１とナット１３ｂとにより密閉板１３ａを挟持している。
【００２６】
支持体取付部１６は、貫通孔１６ａを有する板状物から形成され、一方の端部にボルト部１７が固着されている。貫通孔１６ａは、支持体１２の本体部１２ａが挿通され、支持体取付部１６を本体部１２ａに対して回動可能とされ、本体部１２ａの軸線方向にスライドできるように形成されている。
【００２７】
ボルト部１７は、棒状部材からなり、外周面に雄ネジが切られている。ボルト部１７は、一方の端部が支持体取付部１６に固定されており、全体の長さが網状物８と開口部３の端部との距離よりも長く形成されている。また、ボルト部１７は、その径が蓋体１１の貫通孔１１ｂに挿通される大きさに形成されている。
【００２８】
密閉板１３ａは、蓋体１１の貫通孔１１ｂを覆うことができる大きさの板状物からなり、略中央にボルト部１７が挿通され、ボルト部１７と略同一の径からなる貫通孔１３ｃ（図１（Ａ）参照）が形成されている。
【００２９】
以上のように構成される床下換気口の閉塞装置１は、支持体１２を、長さ調整部１５を調整し床下換気口２の相対向する側面２ａ、２ａに突っ張らせて固定させ、支持体１２に取り付けられた連結部材１３のボルト部１７に蓋体１１を挿通しナット１３ｂにより螺着されることにより、床下換気口２を閉塞する。
【００３０】
このような閉塞装置１は、支持体１２を床下換気口２の内周面に突っ張らせることにより固定され、連結部材１３を介して蓋体１１が固定されるので、床下換気口２の完成後であっても、大掛かりな施工工事を必要とせず、設置することができる。
【００３１】
また、閉塞装置１は、床下換気口２を覆う蓋体１１が連結部材１３とナット１３ｂとにより床下側である床下換気口２の内側に向けて力がかかった状態で固定されるので、蓋体１１を基礎５の床下換気口２周縁部と、密閉部材１１ｃを介して密着させることができ、より密閉性を高めることができる。
【００３２】
また、閉塞装置１は、蓋体１１の連結部材１３のボルト部１７が挿通される貫通孔１１ｂをボルト部１７の径よりも大径に形成し、蓋体１１の固定時には密閉板１３ａを用いて固定しているので、支持体１２の床下換気口２の取付位置を正確にする必要がなく、取付が容易であるとともに、密閉性を損なうことがない。さらに、閉塞装置１は、連結部材１３の支持体取付部１６が支持体１２の本体部１２ａに対して回動及びスライド自在に取り付けられているので、支持体１２に対する蓋体１１の位置の微調整がきき、正確な位置合わせを行うことなく固定できる。
【００３３】
なお、閉塞装置１は、上述のように、基礎５と土台６とで形成される床下換気口２に用いられることに限らず、基礎５のみに設けられる開口部に形成される床下換気口に用いることもできる。
【００３４】
また、支持体１２は、上述のように床下換気口２の側面２ａ、２ａに突っ張った状態で固定されることに限らず、相対向する側面であれば、例えば、上面及び下面に突っ張った状態で固定されるようにしてもよい。
【００３５】
また、支持体１２は、上述に限らず、蓋体１１が開口部３を覆い閉塞することができる位置に固定されるように床下換気口２の内周面に固定されればよく、蓋体１１の大きさ、外壁材７の下面７ａの位置等を考慮して床下換気口２の内周面のあらゆる位置に固定されるようにしてもよい。
【００３６】
さらに、支持体１２は、床下換気口２の内周面に固定されることに限らず、支持体１２の本体部１２ａを網状物８の所定位置に、例えば、針金などで締着されるようにしてもよい。
【００３７】
続いて、第２の実施の形態である床下換気口の閉塞装置２０について図面を参照して説明する。なお、第１の実施の形態と同様の構成については、同様の符号を付し、その説明を省略する。
【００３８】
床下換気口の閉塞装置２０は、図３に示すように、閉塞装置１の支持体１２の代わりに支持体２１を有する。
【００３９】
閉塞装置２０の支持体２１は、図３（Ａ）に示すように、棒状部材からなり、床下換気口２の側面２ａ、２ａに固定された支持体取付部２２に係止されている。支持体２１は、相対向する側面２ａ、２ａ間よりやや短い長さに形成されている。
【００４０】
支持体取付部２２は、図３（Ｂ）及び図３（Ｃ）に示すように、ネジ２３が挿通される貫通孔２４を有し、側面２ａに固定される固定部２５と、固定部２５と連続して形成され、支持体２１が係止される係止溝２６を有する係止部２７とから構成されている。
【００４１】
支持体２１は、支持体取付部２２の係止溝２６に係止されることにより、側面２ａに固定される。
【００４２】
このように構成される床下換気口の閉塞装置２０は、支持体２１が支持体取付部２２を介して床下換気口の側面２ａ、２ａに固定され、蓋体１１を床下換気口の開口部を覆うように固定することができる。
【００４３】
続いて、第３の実施の形態である床下換気口の閉塞装置３０について図面を参照して説明する。なお、第１の実施の形態と同様の構成については、同様の符号を付し、その説明を省略する。
【００４４】
床下換気口の閉塞装置３０は、図４に示すように、閉塞装置１の支持体１２の代わりに支持体３１を有し、連結部材１３の代わりに連結部材３３を有する。また、閉塞装置３０は、網状物８の代わりに複数の棒状体が一定間隔に配設され通気部を形成する網状物３２が設けられる床下換気口に適用される。具体的には、網状物３２は、複数の棒状体３２ａが一定間隔に、いわゆる縦目となるように配設されるものであり、隣接する棒状体３２ａ、３２ａの隙間が通気部３２ｂとなる。
【００４５】
閉塞装置３０の支持体３１は、図４（Ａ）に示すように、金属などの板状部材からなり、床下換気口２の網状物３２に固定される。支持体３１は、板状部材からなる本体部３１ａと、連結部材３３が固定される連結孔３１ｂと、網状物３２と固定するためのボルト及びナットからなる締結部材３４が挿通される長孔３１ｃとから構成されている。支持体３１は、長孔３１ｃに挿通される締結部材３４により網状物３２に固定される。
【００４６】
支持体３１の本体部３１ａは、短冊形状の板状部材からなり、略中央に連結部材３３が固定される連結孔３１ｂが形成され、長手方向に亘って複数の長孔３１ｃが形成されている。支持体３１は、長孔３１ｃ及び通気部３２ｂに締結部材３４のボルトが挿通され、ナットにより締結される。長孔３１ｃは、網状物３２の通気部３２ｂの様々な幅に対しても取り付けることができるように長孔に形成されている。
【００４７】
連結部材３３は、外周に雄ネジが形成された棒状体からなり、一方の端部が支持体３１の連結孔３１ｂに螺着される。また、連結部材３３は、蓋体１１の貫通孔１１ｂに挿通され、ナット１３ｂが螺合され、蓋体１１と連結されている。
【００４８】
このように構成される閉塞装置３０は、支持体３１が網状物３２に締結され、蓋体１１を床下換気口の開口部を覆うように固定することができる。
【００４９】
また、閉塞装置３０は、支持体３１に長孔３１ｃが設けられているので、様々の幅を有する通気部３２ｂに対して取り付けられるとともに、例えば、図５に示すようないわゆる横目となるように、棒状体が配設された網状物３２に対しても、容易に取り付けることができる。
【００５０】
以上のように、本発明に係る床下換気口の閉塞装置１、２０、３０は、床下換気口２の内周面及び／又は網状物８、２２に固定される支持体１２、２１、３１と連結部材１３、２３により、蓋体１１を、床下換気口２を閉塞するように固定することができる。そのため、床下換気口２を閉塞した蓋体１１は、床下側である床下換気口の内側に向けて力がかかった状態で、固定することができ、密閉性を高めることができる。
【００５１】
また、本発明は、施工中、施工完了後の建築物を問わず、床下換気口２の開口部３に容易に取り付けることができる。
【００５２】
なお、本発明に係る閉塞装置は、上述のように、土台６の屋外側の面と基礎５の屋外側の面とが同一平面となるように配置され、その土台６に外壁材７が設けられた構造を有する家屋に適用されることに限らず、外壁材７の屋外側の面と基礎５の屋外側の面とが同一平面上に位置するように配置された家屋に適用するものであってもよい。その際、折曲部１１ｄは、蓋体１１の主面１１ａの上部の撓みを防止し補強する役目をする。
【００５３】
また、本発明に係る閉塞装置は、略矩形状の開口部３に適用されることに限らず、例えば、円形に形成された開口部であっても、蓋体１１がその主面１１ａの形状にかかわらずその開口部を覆うことができる大きさを有するものであればよい。
【図面の簡単な説明】
【００５４】
【図１】（Ａ）は、本発明に係る床下換気口の閉塞装置の分解斜視図であり、（Ｂ）は、床下換気口に取り付けられた様子を示した斜視図である。
【図２】（Ａ）は、床下換気口の閉塞装置の一部破断平面図であり、（Ｂ）は、図（Ａ）のｘ−ｘ´線における断面図である。
【図３】本発明に係る床下換気口の閉塞装置の第２の実施の形態を示す図であり、（Ａ）は、一部破断平面図であり、（Ｂ）は、支持体取付部の拡大平面図であり、（Ｃ）は、支持体取付部の拡大側面図である。
【図４】本発明に係る床下換気口の閉塞装置の第３の実施の形態を示す図であり、（Ａ）は、一部破断平面図であり、（Ｂ）は、側面図である。
【図５】本発明に係る床下換気口の閉塞装置の第３の実施の形態を示す図であり、（Ａ）は、一部破断平面図であり、（Ｂ）は、側面図である。
【符号の説明】
【００５５】
１  閉塞装置、２  床下換気口、３  開口部、４  内周面、５  基礎、６  土台、７  外壁材、８  網状物、１１  蓋体、１１ａ  主面、１１ｂ  貫通孔、１１ｃ  密閉部材、１２  支持体、１３  連結部材、１４  縮径部、１５  長さ調整部、１６  支持体取付部、１７  ボルト部
【図１】
2007146493.tif 000003
【図２】
2007146493.tif 000004
【図３】
2007146493.tif 000005
【図４】
2007146493.tif 000006
【図５】
2007146493.tif 000007